(57)【要約】【課題】運動療法指導管理装置において、運動者の適正運動中の心拍数指標運動量、歩数及びカロリー消費量を簡便な装置により表示することができ、自分の運動や生活習慣が医師あるいは生活習慣指導者の処方通りに実行されているか否かを随時に知ることができるようにする。【解決手段】処方に従って適正運動を実行する運動者の運動療法指導管理装置１は、心拍検出・送信機３と、体動検出器１２と、心拍検出・送信機３により検出した心拍数を用いて少なくとも運動者の適正運動中の平均心拍数及び運動強度を取り込んだ上限及び下限心拍数を演算するとともに、さらに適正運動中の歩数及びカロリー消費量を演算するマイクロコンピュータ６と、表示器９と、心拍数指標運動量と歩数とカロリー消費量の各経時変化を記憶するメモリーカード１０とを備える。【選択図】          図１
2004321585.tif 000002
【特許請求の範囲】
【請求項１】
処方に従って適正運動を実行する運動者の運動療法指導管理装置であって、
前記運動者の身体表面上の心拍検出部位に装着する心拍検出手段と、
前記運動者の腰部に装着する体動検出手段と、
前記心拍検出手段により検出した心拍数を用いて少なくとも前記運動者の適正運動中の設定した時間間隔毎の平均心拍数及び運動強度を取り込んだ上限及び下限心拍数を演算する心拍数指標運動量演算手段と、
前記体動検出手段により検出された体動から前記運動者の適正運動中の歩数を演算する歩数演算手段と、
前記運動者の適正運動中のカロリー消費量を演算するカロリー消費量演算手段と、
前記心拍数指標運動量演算手段が演算した適正運動中の心拍数指標運動量と前記歩数演算手段が演算した適正運動中の歩数と前記カロリー消費量演算手段が演算した適正運動中のカロリー消費量とをそれぞれ表示する表示手段と、
前記心拍数指標運動量演算手段が演算した適正運動中の心拍数指標運動量と前記歩数演算手段が演算した適正運動中の歩数と前記カロリー消費量演算手段が演算した適正運動中のカロリー消費量との各経時変化を記憶する記憶手段と、
を備えたことを特徴とする、運動療法指導管理装置。
【請求項２】
処方に従って適正運動を実行する運動者の運動療法指導管理装置であって、
前記運動者の身体表面上の心拍検出部位に装着する心拍検出手段と、
前記運動者の腰部に装着する体動検出手段と、
前記心拍検出手段により検出した心拍数を用いて少なくとも前記運動者の適正運動中の設定した時間間隔毎の平均心拍数及び運動強度を取り込んだ上限及び下限心拍数を演算する心拍数指標運動量演算手段と、
前記体動検出手段により検出された体動から前記運動者の適正運動中の歩数を演算する歩数演算手段と、
前記体動検出手段により検出された体動から前記運動者の適正運動中のカロリー消費量を演算するカロリー消費量演算手段と、
前記心拍数指標運動量演算手段が演算した適正運動中の心拍数指標運動量を表す心拍数指標運動量データ、前記歩数演算手段が演算した適正運動中の歩数を表す歩数データ及び前記カロリー消費量演算手段が演算した適正運動中のカロリー消費量を表すカロリー消費データを、計時手段による日時データと共に保存するメモリーと、当該メモリーに保存された前記各データの設定した日数分を外部コンピュータに供給することによって、前記運動者が実行した適正運動に関する前記設定した日数分のトレンドを解析させるトレンド解析用データ供給手段とを備えたことを特徴とする、運動療法指導管理装置。
【発明の詳細な説明】
【０００１】
【発明の属する技術分野】
本発明は、医師及び生活習慣指導者の指導の下で実施する生活習慣病に係る運動療法の指導管理あるいは運動者本人が実施する運動療法の自己管理において、医療機器又は健康機器として適用することができる運動療法指導管理装置に関する。
【０００２】
【従来の技術】
従来、生活習慣病といわれる各種の病気の患者及びその予備軍に対し、健康増進や生活習慣の改善のため、医師及び生活習慣指導者が対象者個々人に対し適切な指導をするために用いる運動評価・記録機器として、加速度センサを利用した歩数計やカロリーカウンタ、身体活動を記録する生活習慣記録機、適正な運動強度を逐次認識しながら運動をすることができるようにした適正運動量指示装置などがあった。
【０００３】
歩数計及びカロリーカウンタは、いずれも歩数あるいはカロリー消費量を指標にして、運動終了後に、実行した運動量を認識するものであるが、その運動量を経時的に記録するようにしたものではなく、当然運動量を経時的に記録することができない。
【０００４】
生活習慣記録機は、歩数及び消費カロリーを利用して身体活動を経時的に記録するものではあるが、種々の生理機能を反映する心拍数に基づく運動データが導入されていない。適正運動量指示装置は、運動中の心拍数を指標にしたものであるが、心拍数を長期間記録するすることができず、また、日常的な身体活動として評価する歩数及びカロリー消費量を計測することができない。
【０００５】
例えば、特開２０００ー９３４０９号公報には、加速度センサにより身体活動を検知して、身体の運動レベルを決定し、運動レベルの代表値を経時的に記憶する手段を備えた、運動レベル経時記憶装置、が開示されている。
【０００６】
また、特開平６−１０５８２９号公報には、心拍数が運動の強さとしての運動強度に比例することに着目し、運動療法の領域で利用されているカルボーネンの式を適用して得られる心拍数を指標にして、実行中の運動が適正であるか否かを音声によって指示するようにした、可搬型適正運動量指示措置、が開示されている。
【０００７】
しかしながら、従来の装置のいずれにおいても、心拍数を指標とする心拍数指標適正運動量、適正歩数及び適正なカロリー消費量を、単体の装置として同時に求めることができるようなものではないため、運動療法実行中の運動者が、自分の運動や生活習慣が医師あるいは生活習慣指導者の処方通りに実行されているか否かを知るのに不便であった。
【０００８】
また、得られた心拍数指標適正運動量、適正歩数及び適正なカロリー消費量に係る各データを日時データと共に保存し、保存された各データの一定期間分を、解析のために外部コンピュータが読み取り可能にして供給することなどできるようなものではなかったため、医師あるいは生活習慣指導者が、心拍数指標適正運動量や歩数及び消費カロリーの諸量が適切なものであるか否か、見直しや修正が必要であるか否か等の判断を行う際に不便であった。
【０００９】
【発明が解決しようとする課題】
そこで、本発明は、処方に従って適正運動を実行する運動者の運動療法指導管理装置として、運動者の身体の表面上の心拍検出部位から検出した心拍数を用いて、運動者の適正運動中の心拍数を指標とした心拍数指標運動量の表示をすることができるようにするとともに、運動者の腰部の体動から算出した運動者の適正運動中の歩数とカロリー消費量とを表示することができるようにし、また、適正運動中の心拍数を指標とする心拍数指標適正運動量及び適正運動中の歩数及び適正運動中のカロリー消費量を、単体の装置として同時に求めることができるようにし、さらに、運動療法実行中の運動者が、簡便な装置により、自分の運動や生活習慣が医師あるいは生活習慣指導者の処方通りに実行されているか否かを随時に知ることができるようにした、運動療法指導管理装置を提供しようとするものである。
【００１０】
また、本発明は、処方に従って適正運動を実行する運動者の運動療法指導管理装置として、運動者の適正運動中の心拍数を指標とした心拍数指標運動量、運動者の適正運動中の歩数及び運動者の適正運動中のカロリー消費量に係る各データを、日時データと共に保存し、保存された各データの任意に設定した期間分を解析のために外部コンピュータが読み取り可能にして供給することができるようにし、医師あるいは生活習慣指導者が、生活習慣指導を受けている運動者の適正運動中の心拍数指標運動量、歩数及びカロリー消費量の諸量が適切なものであるか否か、あるいは見直しや修正が必要であるか否か等の判断を行う際に、適切な基礎データを提供することが可能となるようにした、運動療法指導管理装置を提供しようとするものである。
【００１１】
【課題を解決するための手段】
上述の課題を解決するために、請求項１に係る本発明の運動療法指導管理装置は、処方に従って適正運動を実行する運動者の運動療法指導管理装置であって、前記運動者の身体表面上の心拍検出部位に装着する心拍検出手段と、前記運動者の腰部に装着する体動検出手段と、前記心拍検出手段により検出した心拍数を用いて少なくとも前記運動者の適正運動中の設定した時間間隔毎の平均心拍数及び運動強度を取り込んだ上限及び下限心拍数を演算する心拍数指標運動量演算手段と、前記体動検出手段により検出された体動から前記運動者の適正運動中の歩数を演算する歩数演算手段と、前記運動者の適正運動中のカロリー消費量を演算するカロリー消費量演算手段とを備えている。
【００１２】
また、請求項１に係る運動療法指導管理装置は、前記心拍数指標運動量演算手段が演算した適正運動中の心拍数指標運動量と前記歩数演算手段が演算した適正運動中の歩数と前記カロリー消費量演算手段が演算した適正運動中のカロリー消費量とをそれぞれ表示する表示手段と、前記心拍数指標運動量演算手段が演算した適正運動中の心拍数指標運動量と前記歩数演算手段が演算した適正運動中の歩数と前記カロリー消費量演算手段が演算した適正運動中のカロリー消費量との各経時変化を記憶する記憶手段とを備えたことを特徴としている。
【００１３】
請求項２に係る本発明の運動療法指導管理装置は、処方に従って適正運動を実行する運動者の運動療法指導管理装置であって、前記運動者の身体表面上の心拍検出部位に装着する心拍検出手段と、前記運動者の腰部に装着する体動検出手段と、前記心拍検出手段により検出した心拍数を用いて少なくとも前記運動者の適正運動中の設定した時間間隔毎の平均心拍数及び運動強度を取り込んだ上限及び下限心拍数を演算する心拍数指標運動量演算手段と、前記体動検出手段により検出された体動から前記運動者の適正運動中の歩数を演算する歩数演算手段と、前記体動検出手段により検出された体動から前記運動者の適正運動中のカロリー消費量を演算するカロリー消費量演算手段とを備えている。
【００１４】
また、請求項２に係る本発明の運動療法指導管理装置は、前記心拍数指標運動量演算手段が演算した適正運動中の心拍数指標運動量を表す心拍数指標運動量データ、前記歩数演算手段が演算した適正運動中の歩数を表す歩数データ、及び前記カロリー消費量演算手段が演算した適正運動中のカロリー消費量を表すカロリー消費データを計時手段による日時データと共に保存するメモリーと、当該メモリーに保存された前記各データの設定した日数分を外部コンピュータに供給することによって、前記運動者が実行した適正運動に関する前記設定した日数分のトレンドを解析させるトレンド解析用データ供給手段とを備えたことを特徴としている。
【００１５】
【発明の実施の形態】
以下、図面により本発明の実施の形態について説明する。図１は本発明の一実施の形態に係る運動療法指導管理装置の構成を示すブロック図、図２は図１の運動療法指導管理装置の本体の操作表示面の一例を示す前面図、図３は図２の運動療法指導管理装置の本体の右側面図、図４は図１の運動療法指導管理装置による具体的な操作手順の一例を説明するための操作手順フロー図、図５は図１の運動療法指導管理装置の本体に設置したメモリーカードに記録されたデータに基づいて外部パーソナルコンピュータにより解析し、作成した運動量に関する１日のトレンドグラフ、図６は図１の運動療法指導管理装置の本体に設置したメモリーカードに記録されたデータに基づいて外部パーソナルコンピュータにより解析し、作成した運動量に関する１か月間のトレンドグラフである。
【００１６】
まず図１において、運動者４が、運動療法指導管理装置２に配設された定数設定操作部７を操作して年齢、性別、体重、日付、時刻、医師あるいは生活習慣指導者又は本人が処方した適正運動強度の各定数を入力すると、各定数に対応する信号がマイクロコンピュータ６へ送られて、定数設定が行われる。
【００１７】
心拍検出手段である心拍検出・送信機３は、運動者４の身体表面の心拍検出部位に、例えば粘着テープあるいはバンド等の装着手段により装着されて、心拍を検出する。心拍検出・送信機３から送信される無線信号は、運動療法指導管理装置１の本体２に配設された受信・脈動波形整形器５において心電図Ｒ波に対応する方形波に波形整形された後、適正運動量演算手段であるマイクロコンピュータ６へ送られる。
【００１８】
マイクロコンピュータ６は、１分間の平均心拍数の演算と、安静時心拍数の決定、運動強度を取り込んだ適正運動量相当の上限心拍数と、下限心拍数とを演算し、実行されている適正運動の時間が計数される。適正運動が実行されているか否かの認識は、必要に応じて、ブザー８から発生するブザー音により確認することができる。ブザー８は、例えば運動者４が適正な運動強度で運動しているときは１秒間隔で鳴動し、運動者４が適正な運動強度の範囲を超えて過度に運動しているときは０．５秒間隔で鳴動し、運動者４が適正な運動強度に満たない程度に少ない運動量で運動しているときは２秒間隔で鳴動するといったように、ブザー８の時間的な鳴動間隔で運動者４の運動強度を知らせることができるようになっている。データ表示手段である表示器９には、運動療法指導管理装置１の操作のメニュー、定数設定のメニューが表示される。
【００１９】
運動者４は、表示器９の画面と対話をしながら、すなわち対話方式で運動療法指導管理装置１の操作及び定数設定を行い、運動中は、定数設定操作部７のスイッチの選択操作により、表示器９の画面上でリアルタイムに１分間の平均心拍数のモニタリングを行うことができる。
【００２０】
マイクロコンピュータ６と時計回路１１からなる計時手段とは日付及び時刻を管理する。外部パーソナルコンピュータ１４へのデータの供給手段である、運動療法指導管理装置１の本体２に着脱可能なメモリーカード１０は、マイクロコンピュータ６とスロットを介して接続され、定数設定操作部７の操作でマイクロコンピュータ６に設定した定数、マイクロコンピュータ６により演算された平均心拍数、適正運動を実行した時間の積算値である適正運動実行積算時間、日付及び時刻を記録することができる。
【００２１】
体動検出手段である運動療法指導管理装置１の本体２に配設された体動検出器１２は、運動者の上下振動を検知して体動信号を発生し、当該体動信号は体動信号増幅器１３により増幅された後、体動演算手段であるマイクロコンピュータ６へ送られる。マイクロコンピュータ６は、適正運動中の運動者４の上下振動による体動検出器１２からの信号に基づいて、運動者４の歩数を計数し、運動者４の体動のレベルのほか、運動者４の年齢、性別、体重等の身体特性値から演算されるカロリー消費量を計算する。
【００２２】
データ表示手段である表示器９の画面には、定数設定操作部７のスイッチを選択操作することにより、リアルタイムで運動者の歩数、カロリー消費量が表示されるので、表示器９の画面の表示を通して、運動者の歩数、カロリー消費量の変化をモニタリングすることができる。
【００２３】
外部パーソナルコンピュータ１４へのデータの供給手段であるメモリーカード１０には、マイクロコンピュータ６により計数された歩数、カロリー消費量の演算の結果と、前記の平均心拍数、適正運動実行積算時間、日付及び時刻とを記録することができる。
【００２４】
以上の各構成要素によって構成される運動療法指導管理装置１の本体２の操作表示面の一例を示す図２において、運動者４の身体の表面上の心拍検出部位に心拍検出・送信機３を装着すると、心拍検出・送信機３の電源がオンとなり、心拍検出・送信機３は心拍信号を送信する。この状態でメモリーカード１０を運動療法指導管理装置１の本体２のスロットに装着すると、運動療法指導管理装置１の本体２の電源がオンとなり、図１の受信・脈動波形整形器５が心拍検出・送信機３からの心拍信号を受信する。
【００２５】
定数設定操作部７のボタンスイッチは、各種の定数の設定用スイッチ、表示器９の画面選択用スイッチ、あるいは図１のブザー８の鳴動用スイッチとして作用する。また、ブザー８は、運動者４が実行している運動の適正運動量の範囲を必要に応じて音声モニタリングするものである。さらに、表示器９は、定数設定操作部７の対話方式による操作の状況、並びに各種のデータのモニターとして作用する。そして、メモリーカード１０は、各種のデータを記録及び保存するとともに、外部のパーソナルコンピュータ１４へのデータの供給手段として作用する。メモリーカード１０を運動療法指導管理装置１の本体２から取り出すと、運動療法指導管理装置１の本体２の電源は、自動的にオフとなる。
【００２６】
運動療法指導管理装置１の本体２の横側面図を示す図３において、本体２の裏蓋面にはクリップ１５を突出させて形成し、このクリップ１５を利用して、運動療法指導管理装置１の本体２を、例えば運動者４の腰部に簡易に取り付けることができる。本体２の表面側には表蓋１６が着脱可能に取り付けられるようになっており、この表蓋１６により、定数設定操作部７及び表示器９を保護することができるようになっている。
【００２７】
次に、図４の操作手順フロー図により、図１の運動療法指導管理装置１の操作手順を説明する。ＳＴＥＰ１において、最初に、医師あるいは生活習慣指導者から運動者４が運動療法を行うに当たっての適正運動量の処方を受けるか、あるいは運動者本人４が適正運動量の処方をする。そして、ＳＴＥＰ２において、メモリーカード１０を運動療法指導管理装置１の本体２に配設されているスロットに挿入すると、運動療法指導管理装置１の本体２の電源が自動的にオンとなる。
【００２８】
ＳＴＥＰ３において、表示器９の画面を参照しながら対話方式で年齢、性別、体重、適正運動量のための運動の強度等の個人データと、日付及び時刻とを入力する。そして、ＳＴＥＰ４において、運動療法指導管理装置１の本体２を運動者４の腰部に装着する。さらに、ＳＴＥＰ５において、心拍検出・送信機３を運動者４の身体の表面上の心拍検出部位に装着すると、心拍検出・送信機３の電源が自動的にオンとなる。
【００２９】
ＳＴＥＰ６において、運動者４は座位で深呼吸をするなどして安静を保った状態で、安静時心拍数を計測する。その結果、ＳＴＥＰ７において、安静時心拍数が計測されて表示器９の画面に「ＧＯ」サインが表示される。そこで、ＳＴＥＰ８において、運動者４は定数設定操作部７の「ＥＮＴ」ボタンを押す。そうすると、ＳＴＥＰ９、ＳＴＥＰ１０、ＳＴＥＰ１１及びＳＴＥＰ１２が自動的に進行し、ＳＴＥＰ９においては、マイクロコンピュータ６において適正運動量の演算が行われ、ＳＴＥＰ１０においては、マイクロコンピュータ６において平均心拍数の演算が行われ、ＳＴＥＰ１１においては、マイクロコンピュータ６において歩数の演算が行われ、ＳＴＥＰ１２においては、消費カロリーの消費量の演算が実行される。
【００３０】
続いてＳＴＥＰ１３、ＳＴＥＰ１４、ＳＴＥＰ１５及びＳＴＥＰ１６も自動的に進行し、ＳＴＥＰ１３においては、マイクロコンピュータ６によって演算された適正運動量の時系列データがメモリーカード１０に保存され、ＳＴＥＰ１４においては、マイクロコンピュータ６によって演算された平均心拍数の時系列データがメモリーカード１０に保存され、ＳＴＥＰ１５においては、マイクロコンピュータ６によって演算された歩数の時系列データがメモリーカード１０に保存され、ＳＴＥＰ１６においては、マイクロコンピュータ６によって演算された消費カロリーの消費量の時系列データがメモリーカード１０に保存される。
【００３１】
ＳＴＥＰ１７において、運動量計測を終了する場合には、メモリーカード１０を運動療法指導管理装置１の本体２のスロットから取り出すと、運動療法指導管理装置１の本体２の電源が自動的にオフとなる。さらにＳＴＥＰ１８において、心拍検出・送信機３を運動者４の身体の表面上から取り外すと、心拍検出・送信機３の電源が自動的にオフとなる。
【００３２】
ＳＴＥＰ１９において、運動者４が実行した運動データの解析は、メモリーカード１０を外部パーソナルコンピュータ１４のスロットに挿入することによって実行される。また、ＳＴＥＰ２０において、運動者４が適正な運動強度で運動しているか否かを知るためには、定数設定操作部７にあるいずれかのスイッチボタン２個を同時に押すと、ＳＴＥＰ２１において、ブザー８が鳴動し、例えば運動者４が適正な運動強度で運動しているときは１秒間隔で鳴動し、運動者４が適正な運動強度の範囲を超えて過度に運動しているときは０．５秒間隔で鳴動し、運動者４が適正な運動強度に満たない程度に少ない運動量で運動しているときは２秒間隔で鳴動するといったように、ブザー８の時間的な鳴動間隔で運動者４の運動強度を知らせることができるようになっている。
【００３３】
ＳＴＥＰ２２において、同一の運動者が運動量の計測を再開する場合には、ＳＴＥＰ２３において、メモリーカード１０を運動療法指導管理装置１の本体２のスロットに挿入し、その後は図４のＳＴＥＰ４に戻る。これに対し同一人が新規に運動療法管理を実行する場合とか、別人が運動療法管理を実行する場合には、図４のＳＴＥＰ１から実行することとなる。
【００３４】
運動療法指導管理装置１は、メモリーカード１０に記録された運動データを外部のパーソナルコンピュータ１４に供給したうえ、運動者４の設定した日数分、例えば１日の運動量の変化をトレンドグラフ化したり、数日間、１か月間、数カ月間、１年間、あるいはそれ以上の任意に選択した期間の運動量の変化をトレンドグラフ化したりして、医師や生活習慣指導者のほか、本人もデータの表解析を容易にすることができる状態にするソフトウエアを有している。
【００３５】
図５は、運動療法指導管理装置１が有する上記のソフトウエアによって運動者４の１日の運動量の変化をトレンドグラフ化したものの一例を示す。図５において、横軸に１日の時刻が示され、縦軸の上段には運動者の１分間の平均心拍数と各時刻における単位時間当たりのカロリー消費量とが示され、縦軸の下段には当該運動者の適正運動実行時の各時刻における単位時間当たりの歩数が示されている。
【００３６】
図６には、運動療法指導管理装置１が有する上記のソフトウエアによって運動者４の１か月間の運動量の変化をトレンドグラフ化したものの一例を示す。図６において、横軸に１か月間の日付が示され、縦軸の上段には運動者の各日毎の適正運動実行時間が示され、縦軸の下段には同運動者の各日毎の適正運動実行時の歩数と、適正運動実行時に消費したカロリーの消費量とが示されている。
【００３７】
図１ないし図６に示した運動療法指導管理装置は、本発明の好適な実施の形態を例示したものにすぎず、本発明は、特許請求の範囲に記載した事項の範囲内で種々の実施の形態に従って実施をすることができる。
【００３８】
【発明の効果】
本発明の運動療法指導管理装置によれば、以下のような効果が得られる。
（１）請求項１に係る発明の運動療法指導管理装置によれば、処方に従って適正運動を実行する運動者の運動療法指導管理装置であって、前記運動者の身体表面上の心拍検出部位に装着する心拍検出手段と、前記運動者の腰部に装着する体動検出手段と、前記心拍検出手段により検出した心拍数を用いて少なくとも前記運動者の適正運動中の設定した時間間隔毎の平均心拍数及び運動強度を取り込んだ上限及び下限心拍数を演算する心拍数指標運動量演算手段と、前記体動検出手段により検出された体動から前記運動者の適正運動中の歩数を演算する歩数演算手段と、前記運動者の適正運動中のカロリー消費量を演算するカロリー消費量演算手段と、前記心拍数指標運動量演算手段が演算した適正運動中の心拍数指標運動量と前記歩数演算手段が演算した適正運動中の歩数と前記カロリー消費量演算手段が演算した適正運動中のカロリー消費量とをそれぞれ表示する表示手段と、前記心拍数指標運動量演算手段が演算した適正運動中の心拍数指標運動量と前記歩数演算手段が演算した適正運動中の歩数と前記カロリー消費量演算手段が演算した適正運動中のカロリー消費量との各経時変化を記憶する記憶手段と、を備えているので、運動者の身体の表面上の心拍検出部位から検出した心拍数を用いて、運動者の適正運動中の心拍数を指標とした心拍数指標運動量の表示をすることができるとともに、運動者の腰部の体動から算出した運動者の適正運動中の歩数とカロリー消費量とを表示することができ、また、適正運動中の心拍数を指標とする心拍数指標適正運動量、適正運動中の歩数及び適正運動中のカロリー消費量を単体化された装置により同時に求めることができ、運動療法実行中の運動者が、簡便な装置により、自分の運動や生活習慣が医師あるいは生活習慣指導者の処方通りに実行されているか否かを随時に知ることができる。
（２）請求項２に係る発明の運動療法指導管理装置によれば、処方に従って適正運動を実行する運動者の運動療法指導管理装置であって、前記運動者の身体表面上の心拍検出部位に装着する心拍検出手段と、前記運動者の腰部に装着する体動検出手段と、前記心拍検出手段により検出した心拍数を用いて少なくとも前記運動者の適正運動中の設定した時間間隔毎の平均心拍数及び運動強度を取り込んだ上限及び下限心拍数を演算する心拍数指標運動量演算手段と、前記体動検出手段により検出された体動から前記運動者の適正運動中の歩数を演算する歩数演算手段と、前記体動検出手段により検出された体動から前記運動者の適正運動中のカロリー消費量を演算するカロリー消費量演算手段と、前記心拍数指標運動量演算手段が演算した適正運動中の心拍数指標運動量を表す心拍数指標運動量データ、前記歩数演算手段が演算した適正運動中の歩数を表す歩数データ及び前記カロリー消費量演算手段が演算した適正運動中のカロリー消費量を表すカロリー消費データを、計時手段による日時データと共に保存するメモリーと、当該メモリーに保存された前記各データの設定した日数分を外部コンピュータに供給することによって、前記運動者が実行した適正運動に関する前記設定した日数分のトレンドを解析させるトレンド解析用データ供給手段とを備えているので、運動者の適正運動中の心拍数を指標とした心拍数指標運動量、運動者の適正運動中の歩数及び運動者の適正運動中のカロリー消費量に係る各データを、日時データと共に保存し、保存された各データの任意に設定した期間分を解析のために外部コンピュータが読み取り可能にして供給することができ、医師あるいは生活習慣指導者が、生活習慣指導を受けている運動者の適正運動中の心拍数指標運動量、適正運動中の歩数及びカロリー消費量の諸量が、適切なものであるか否か、あるいは見直しや修正が必要であるか否か等の判断を行う際に、適切な基礎データを提供することが可能となる。
【図面の簡単な説明】
【図１】本発明の一実施の形態に係る運動療法指導管理装置の構成を示すブロック図である。
【図２】図１の運動療法指導管理装置の本体の操作表示面の一例を示す前面図である。
【図３】図２の運動療法指導管理装置の本体の右側面図である。
【図４】図１の運動療法指導管理装置による具体的な操作手順の一例を説明するための操作手順フロー図である。
【図５】図１の運動療法指導管理装置の本体に設置したメモリーカードに記録されたデータに基づいて外部パーソナルコンピュータにより解析し、作成した運動量に関する１日のトレンドグラフである。
【図６】図１の運動療法指導管理装置の本体に設置したメモリーカードに記録されたデータに基づいて外部パーソナルコンピュータにより解析し、作成した運動量に関する１か月間のトレンドグラフである。
【符号の説明】
１    運動療法指導管理装置
２    運動療法指導管理装置の本体
３    心拍検出・送信機
４    運動者
５    受信・脈動波形整形器
６    マイクロコンピュータ
７    定数設定操作部
８    適正運動量識別手段としてのブザー
９    表示器
１０    メモリーカード
１１    時計回路
１２    体動検出器
１３    体動信号増幅器
１４    外部パーソナルコンピュータ
１５    クリップ
１６    表蓋
ＳＴＥＰ１〜ＳＴＥＰ２３    フローチャートステップ
【図１】
2004321585.tif 000003
【図２】
2004321585.tif 000004
【図３】
2004321585.tif 000005
【図４】
2004321585.tif 000006
【図５】
2004321585.tif 000007
【図６】
2004321585.tif 000008